【手続補正書】
【提出日】平成20年8月29日(2008.8.29)
【手続補正１】
【補正対象書類名】明細書
【補正対象項目名】特許請求の範囲
【補正方法】変更
【補正の内容】
【特許請求の範囲】
【請求項１】  複数のユーザ機器（４２）に信号を分配するためのネットワーク（１００）であって、
分配ユニット（４０）と、
前記分配ユニット（４０）を前記複数のユーザ機器（４２）と通信させるように適合された複数の光ケーブル（１）であって、各光ケーブル（１）が、コア（１４）、クラッド（１２）、および所定の単純な屈折率プロフィルΔｎ（ｒ）を有する光ファイバ（１０）を備え、ここで、Δｎ（ｒ）が、半径方向距離ｒの関数としてコア（１４）とクラッド（１２）の屈折率差を表し、各光ファイバ（１０）が、約１２６０ｎｍよりも高い波長でのシングルモード伝搬と、約８５０ｎｍでの数モード伝搬とを提供するように適合されている複数の光ケーブル（１）と
を備え、各光ファイバ（１０）の屈折率プロフィルΔｎ（ｒ）が、
６０ｍｍの直径を有するマンドレルでの１００回巻き後の約０．５ｄＢ未満の１５５０ｎｍでのマクロベンド損失と、
約１ｎｓ／Ｋｍ以下の８５０ｎｍでの多モード遅延Δτと
を提供するようなものであることを特徴とするネットワーク（１００）。
【請求項２】  ８５０ｎｍでの多モード遅延Δτが約０．５ｎｓ／Ｋｍ未満である請求項１に記載の分配ネットワーク。
【請求項３】  ８５０ｎｍでの多モード遅延Δτが約０．０５ｎｓ／Ｋｍ未満である請求項２に記載の分配ネットワーク。
【請求項４】  ６０ｍｍの直径を有するマンドレルでの１００回巻き後の１５５０ｎｍでのマクロベンド損失が約０．２ｄＢ未満である請求項１に記載の分配ネットワーク。
【請求項５】  光ファイバの１５５０ｎｍでのマイクロベンド損失が約１５［（ｄＢ／Ｋｍ）／（ｇ／ｍｍ）］未満である請求項１に記載の分配ネットワーク。
【請求項６】  光ファイバの１５５０ｎｍでのマイクロベンド損失が約１０［（ｄＢ／Ｋｍ）／（ｇ／ｍｍ）］未満である請求項５に記載の分配ネットワーク。
【請求項７】  各光ファイバが、約３．０と３．６の間に含まれる８５０ｎｍでの正規化周波数値Ｖを有する請求項１に記載の分配ネットワーク。
【請求項８】  各光ファイバが、約３．２と３．６の間に含まれる８５０ｎｍでの正規化周波数値Ｖを有する請求項７に記載の分配ネットワーク。
【請求項９】  光ファイバが、ＯＶＤ（ｏｕｔｓｉｄｅ  ｖａｐｏｕｒ  ｄｅｐｏｓｉｔｉｏｎ）法を用いて製造される請求項７、８のいずれか一項に記載の分配ネットワーク。
【請求項１０】  光ファイバが、ＶＡＤ（ｖａｐｏｕｒ  ａｘｉａｌ  ｄｅｐｏｓｉｔｉｏｎ）法を用いて製造される請求項７、８のいずれか一項に記載の分配ネットワーク。
【請求項１１】  各光ファイバが、約５＊１０-3と７＊１０-3の間に含まれるΔｎ0の値を有する請求項１に記載の分配ネットワーク。
【請求項１２】  屈折率プロフィルによって範囲を定められた半領域が約０．０１７μｍよりも大きい請求項１に記載の分配ネットワーク。
【請求項１３】  屈折率プロフィルによって範囲を定められた半領域が約０．０１８μｍよりも大きい請求項１２に記載の分配ネットワーク。
【請求項１４】  各光ファイバのコア半径が約３μｍと６μｍの間に含まれる請求項１に記載の分配ネットワーク。
【請求項１５】  各光ファイバが、クラッドの外側に、ポリマー材料からなる外部保護コーティングを備える請求項１に記載の分配ネットワーク。
【請求項１６】  クラッドに接触する前記外部コーティングの一部が、約１０℃と６０℃の間に含まれる温度範囲でクラッドの屈折率よりも大きい屈折率を有する請求項１５に記載の分配ネットワーク。
【請求項１７】  外部保護コーティングが、電磁放射線を強く吸収することができる材料からなる請求項１５に記載の分配ネットワーク。
【請求項１８】  各光ケーブルが第２の光ケーブルも備える請求項１に記載の分配ネットワーク。
【請求項１９】  複数の光ケーブルと通信する複数の光電子変換デバイスも備える請求項１に記載の分配ネットワーク。
【請求項２０】  各光電子変換デバイスが光検出器を備える請求項１９に記載の分配ネットワーク。
【請求項２１】  各光電子変換デバイスが光源を備える請求項１９または２０に記載の分配ネットワーク。
【請求項２２】  前記光源が、約８２０と８７０ｎｍの間に含まれる波長で動作するように適合されている請求項２１に記載の分配ネットワーク。
【請求項２３】  前記光源が、約８３０と８６０ｎｍの間に含まれる波長で動作するように適合されている請求項２２に記載の分配ネットワーク。
【請求項２４】  数モード伝搬条件において、約３００ｍの長さのリンクで２．５Ｇｂｉｔ／ｓ以上のビットレートで光信号を伝送するように適合されている請求項２２、２３のいずれか一項に記載の分配ネットワーク。
【請求項２５】  光電子変換デバイスの少なくとも一部の光源が、約１３００ｎｍと１６２５ｎｍの間に含まれる波長で動作するように適合されている請求項２１から２４のいずれか一項に記載の分配ネットワーク。
【請求項２６】  分配ユニットが、様々な波長での複数の信号を単一ＷＤＭ光信号として多重化し、前記光ケーブルの少なくとも１つに沿って前記ＷＤＭ信号を送信するように適合されている前記請求項のいずれか一項に記載の分配ネットワーク。
【請求項２７】  対応する光ケーブルに接続され、光ケーブルから来る信号を複数のユーザ機器に送信するように適合された少なくとも１つの家庭内ネットワークをユーザ側に備える前記請求項のいずれか一項に記載の分配ネットワーク。
【請求項２８】  家庭内ネットワークがスタートタイプのものである請求項２７に記載の分配ネットワーク。
【請求項２９】  家庭内ネットワークがバスタイプのものである請求項２７に記載の分配ネットワーク。
【請求項３０】  家庭内ネットワークが、その入力で、入ってくるＷＤＭ光信号を波長逆多重化するように適合されている波長選択性光カプラを備える請求項２６または２７に記載の分配ネットワーク。
【請求項３１】  家庭内ネットワークが、その入力で、入ってくるＷＤＭ光信号のパワーを分割するように適合されている光カプラを備える請求項２６または２７に記載の分配ネットワーク。
【請求項３２】  各光ファイバ（１０）が、値２０、１９、１８、１７、および１６ｐｓ／（ｎｍ＊Ｋｍ）の１つ以下の、１５５０ｎｍでの色分散値を有する請求項１から３１のいずれか一項に記載の分配ネットワーク。
【請求項３３】  各光ファイバ（１０）が、１５．４ｐｓ／（ｎｍ＊Ｋｍ）以下の、１５５０ｎｍでの色分散値を有する請求項１から３１のいずれか一項に記載の分配ネットワーク。
【請求項３４】  コア（１４）、クラッド（１２）、および所定の単純な屈折率プロフィルΔｎ（ｒ）を有する光ファイバ（１０）であって、Δｎ（ｒ）が、半径方向距離ｒの関数としてコア（１４）とクラッド（１２）の屈折率差を表し、前記光ファイバ（１０）が、約１２６０ｎｍよりも高い波長でのシングルモード伝搬と、約８５０ｎｍでの数モード伝搬とを提供するように適合されており、
所定の屈折率プロフィルΔｎ（ｒ）が、
６０ｍｍの直径を有するマンドレルでの１００回巻き後の約０．５ｄＢ未満の１５５０ｎｍでのマクロベンド損失と、
約１ｎｓ／Ｋｍ以下の８５０ｎｍでの多モード遅延Δτと
を提供するようなものであることを特徴とする光ファイバ（１０）。
【請求項３５】  １５５０ｎｍでの色分散値が値２０、１９、１８、１７、および１６ｐｓ／（ｎｍ＊Ｋｍ）の１つよりも低い、またはそれに等しい値を有することを特徴とする請求項３４に記載の光ファイバ（１０）。
【請求項３６】  １５．４ｐｓ／（ｎｍ＊Ｋｍ）以下の１５５０ｎｍでの色分散値を有することを特徴とする請求項３４に記載の光ファイバ（１０）。
【請求項３７】  信号分配ネットワークで使用されるように適合される光ケーブル（１）は少なくとも１つの光ファイバ（１０）を備える、請求項３４から３６のいずれか一項に記載の光ケーブル（１）。
【請求項３８】  複数のユーザ機器（４２）に信号を分配するための信号分配ネットワークを製造するための請求項３４から３６のいずれか一項に記載の光ファイバ（１０）の使用。
【請求項３９】  前記信号分散ネットワークが、８２０と８７０ｎｍの間で選択された波長を有する光信号を用いて動作するのに適している請求項３８に記載の光ファイバ（１０）の使用。
【請求項４０】  約８５０ｎｍでの光信号の伝送のための請求項３４から３６のいずれか一項に記載の光ファイバ（１０）の使用。
【請求項４１】  約８２０と８７０ｎｍの間に含まれる波長での光信号の伝送のための請求項４０に記載の光ファイバ（１０）の使用。